【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、特定示唆演出及び特別示唆演出を実行可能な演出実行手段と、を備え、
前記特定示唆演出の演出態様として、複数の設定値のうち最も有利度が高い設定値であることを特定可能な第１特定態様と、該第１特定態様よりも複数の設定値のうちの最も有利度が高い設定値であることに対する期待度が低い第２特定態様とがあり、
前記特別示唆演出の演出態様として、第１特別態様と、該第１特別態様よりも複数の設定値のうちの最も有利度が高い設定値であることに対する期待度が低い第２特別態様とがあり、
前記演出実行手段は、
前記情報出力手段から出力された設定値情報が正常でない場合、前記第１特定態様の前記特定示唆演出を実行せず、前記第２特定態様の前記特定示唆演出を実行可能であり、
設定値が変更された後の所定期間内と該所定期間経過後とで異なる割合により、前記第２特定態様の前記特定示唆演出を実行可能であり、
前記特定示唆演出とは異なるタイミングで前記特別示唆演出を実行可能であり、
前記情報出力手段から出力された設定値情報が正常でない場合、前記第１特別態様の前記特別示唆演出を実行せず、前記第２特別態様の前記特別示唆演出を実行可能であり、
前記特定示唆演出の前記第２特定態様と前記特別示唆演出の前記第２特別態様とで、複数の設定値のうちの最も有利度が高い設定値であることに対する期待度が異なり、
さらに、
可変表示の開始に応じて表示を開始し、可変表示の終了に応じて表示を終了する特定表示を実行可能な特定表示実行手段を備え、
前記特定表示実行手段は、
可変表示期間を示唆可能な態様により特定表示を表示可能であり、
可変表示期間を示唆可能な態様により特定表示を表示しているときに、前記有利状態に制御される期待度に応じて該特定表示の態様を変化させることが可能である
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のうちのいずれかの設定値に設定可能に構成され、設定された設定値にもとづいて有利状態の制御を実行可能に構成されたパチンコ遊技機として、例えば、特許文献１に記載されたものがある。特許文献１には、変更前後の設定値に対応する変動停止コマンド（設定値指定コマンド）を主制御基板から演出制御基板に送信し、その変動停止コマンドにより得られる変更前後の設定値にもとづいて、キリン、ゾウ、ライオンの３種類のキャラクタに対応する３種類の演出パターンによる表示を行うことが記載されている。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載の遊技機にあっては、設定値情報（設定値指定コマンド）が正常でないときに誤った示唆演出が実行されてしまう可能性があり、設定された設定値にもとづいて有利状態の制御を実行可能に構成した遊技機において、却って遊技に対する興趣を低下させてしまうおそれがある。
【手続補正５】
【補正対象書類名】明細書
【補正対象項目名】０００５
【補正方法】変更
【補正の内容】
【０００５】
この発明は、上記の実状に鑑みてなされたものであり、設定された設定値にもとづいて有利状態の制御を実行可能に構成した遊技機において、遊技に対する興趣の低下を防止できるようにすることを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態に制御可能な遊技機であって、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、特定示唆演出及び特別示唆演出を実行可能な演出実行手段と、を備え、
前記特定示唆演出の演出態様として、複数の設定値のうち最も有利度が高い設定値であることを特定可能な第１特定態様と、該第１特定態様よりも複数の設定値のうちの最も有利度が高い設定値であることに対する期待度が低い第２特定態様とがあり、
前記特別示唆演出の演出態様として、第１特別態様と、該第１特別態様よりも複数の設定値のうちの最も有利度が高い設定値であることに対する期待度が低い第２特別態様とがあり、
前記演出実行手段は、
前記情報出力手段から出力された設定値情報が正常でない場合、前記第１特定態様の前記特定示唆演出を実行せず、前記第２特定態様の前記特定示唆演出を実行可能であり、
設定値が変更された後の所定期間内と該所定期間経過後とで異なる割合により、前記第２特定態様の前記特定示唆演出を実行可能であり、
前記特定示唆演出とは異なるタイミングで前記特別示唆演出を実行可能であり、
前記情報出力手段から出力された設定値情報が正常でない場合、前記第１特別態様の前記特別示唆演出を実行せず、前記第２特別態様の前記特別示唆演出を実行可能であり、
前記特定示唆演出の前記第２特定態様と前記特別示唆演出の前記第２特別態様とで、複数の設定値のうちの最も有利度が高い設定値であることに対する期待度が異なり、
さらに、
可変表示の開始に応じて表示を開始し、可変表示の終了に応じて表示を終了する特定表示を実行可能な特定表示実行手段を備え、
前記特定表示実行手段は、
可変表示期間を示唆可能な態様により特定表示を表示可能であり、
可変表示期間を示唆可能な態様により特定表示を表示しているときに、前記有利状態に制御される期待度に応じて該特定表示の態様を変化させることが可能である。
この特徴によれば、設定された設定値にもとづいて有利状態の制御を実行可能に構成した遊技機において、遊技に対する興趣の低下を防止することができる。また、この特徴によれば、所定期間に遊技を行う動機を与えることができ、遊技興趣を高めることができる。
（１）他の遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能であり（例えば図９（Ｄ）、（Ｆ））、
さらに、
可変表示の開始に応じて表示を開始し、可変表示の終了に応じて表示を終了する特定表示（例えば、アクティブ表示や、アクティブ表示移動演出における球体表示１２９ＩＷ００２ｂの表示）を実行可能な特定表示実行手段を備え、
前記特定表示実行手段は、
可変表示期間を示唆可能な態様により特定表示を表示可能であり（例えば、アクティブ表示移動演出により、球体表示１２９ＩＷ００２ｂが、可変表示開始時に開始位置に位置し、可変表示終了時に終了位置に位置するように移動することによって示唆される。図２２−４参照。）、
可変表示期間を示唆可能な態様により特定表示を表示しているときに、有利状態に制御される期待度に応じて該特定表示の態様を変化させることが可能である（例えば、球体表示１２９ＩＷ００２ｂを移動させるアクティブ表示移動演出の実行中に、球体表示１２９ＩＷ００２ｂの表示態様を変化させるアクティブ表示変化演出を実行可能である。図２２−５参照）。
このような構成によれば、演出効果を高めることができる。